【事件の表示】
　特願２０１５−　９２６４７「表示領域制御装置、方法およびプログラム」拒絶査定不服審判事件〔平成２７年　９月２４日出願公開、特開２０１５−１６７０３３〕について、次のとおり審決する。
【結　論】
　本件審判の請求は、成り立たない。
【理　由】
第１．手続の経緯
　本願は、平成２３年６月２０日に出願した特願２０１１−１３６４９３号（以下、「原出願」という。）の一部を平成２７年４月３０日に新たな特許出願としたものであって、平成２８年７月４日付けで拒絶理由通知がされ、同年９月１２日に手続補正がされ、同年１１月２９日付けで拒絶査定がされ、これに対し、平成２９年３月１日付けで拒絶査定不服審判の請求がされるとともに、同時に手続補正がなされたものである。
　
第２．平成２９年３月１日付の手続補正についての補正却下の決定
　
［補正却下の決定の結論］
　　平成２９年３月１日付の手続補正（以下、「本件補正」という。）を却下する。
　
［理由］
１．補正の内容
　本件補正は、補正前の特許請求の範囲の請求項２を、補正後の特許請求の範囲の請求項２に変更する補正事項を含むものである。
そして、補正前の請求項２及び補正後の請求項２の各記載は、それぞれ、以下のとおりである。
　なお、〈補正後の請求項２〉における下線は補正箇所を表している。
〈補正前の請求項２〉
　「【請求項２】
　画面内の表示領域に対する操作を検出する操作検出部と、
　前記操作検出部により前記表示領域に対するドラッグ操作が検出された場合に、第１制御として、前記表示領域を拡大して表示し、
　前記拡大された表示領域に対してドラッグ操作が行われたことによって、第２制御として、前記表示領域が拡大された方向と平行な方向に前記表示領域内の表示画像をスクロールする制御部と、
　を有することを特徴とする表示領域制御装置。」
〈補正後の請求項２〉
　「【請求項２】
　画面内の
ドラッグ操作を受け付けて表示画像がスクロールされる
　前記操作検出部により前記表示領域に対するドラッグ操作が検出された場合に、
ドラッグ操作が行われた場合の
　前記拡大された表示領域に対してドラッグ操作が行われたことによって、
ドラッグ操作が行われた場合の
前記行われたドラッグ操作に基づいて
　を有することを特徴とする表示領域制御装置。」
２．本件補正に対する判断
　本件補正の内の上記補正事項は、補正前の請求項２に記載のあった発明を特定するために必要な事項である「操作検出部」が操作を検出する「表示領域」に関して、「ドラッグ操作を受け付けて表示画像がスクロールされる」と限定し、また、「ドラッグ操作が検出された場合」の「第１制御」を「ドラッグ操作が行われた場合の第１制御」と、「ドラッグ操作が行われたことによって」行われる「第２制御」を「ドラッグ操作が行われた場合の第２制御」とし、さらに、「第２制御」として「スクロールする」ことを「前記行われたドラッグ操作に基づいてスクロールする」こととするものであり、かつ、補正の前後において、請求項２の産業上の利用分野及び解決しようとする課題は同一であるから、特許法第１７条の２第５項第２号の特許請求の範囲の減縮を目的とするものに該当する。
　また、特許法第１７条の２第３項、第４項に違反するところはない。
　そこで、本件補正後の請求項２に記載された発明（以下、「本願補正発明」という。）が特許出願の際独立して特許を受けることができるものであるか（特許法第１７条の２第６項において準用する同法第１２６条第７項の規定に適合するか）について、以下に検討する。
２−１．本願補正発明
　本願補正発明は、上記「１．」の〈補正後の請求項２〉の欄に転記したとおりのものである。
２−２．特許法第２９条第２項への該当性（進歩性）について
（１）引用例の記載、引用発明等
（引用例）
　原査定の拒絶の理由に引用された、本願の原出願の出願日前に頒布された刊行物である、特開２００９−１６５１６７号公報（以下、「引用例１」という。）には、図面と共に以下の記載がある。
ａ）「【０００８】
  図１は、本発明の一実施の形態である
無線通信端末１２
【０００９】
　図１において、
１
無線部
２
通信プロトコル制御及びユーザインタフェース等の制御を行う主制御部
３
通話制御部
４
スピーカ
５
マイクロホン
【００１０】
　上記スピーカ４とマイクロホン５とによって相手側との通話を行うハンドセットが構成されている。
【００１１】
　
６
画像処理部１０
の制御のもとで各種情報の表示を行う表示部
７
機能キー等からなる操作入力部
８
記憶部
９
外部機器からデータ入力される外部入力部
１０
主制御部２の制御のもとで表示部６の表示制御とデータの符号化／複合化
を行う機能を有する画像処理部
１１
カメラ
【００１２】
（実施例１）
　図２は第１実施例を示す表示部６の表示例である。
【００１３】
　図２における無線通信端末１２は、
表示部６全体を大きく分けて3つの領域に分割して使用し
第１の表示領域１３は、
無線通信端末１２の現在の状態表示に関わる領域
第２の表示領域１４は、
無線通信端末１２の機能設定に関わる領域
第３の表示領域１５は、時刻表示、着信通知、ショートメッセージの表示、インターネットのWEB表示等
自由に使用可能な領域
【００１４】
　ユーザにとって、画面表示領域が広い方が理想的なのは、E-Mail閲覧時、インターネットブラウジング時等、一画面に多くの情報を表示することが一般的である。特に、表示情報が一画面に収まらない場合は、スクロール表示が必須になるため、スクロール中においてはある程度全体を把握できることが望ましい。本実施例では、
ユーザが操作入力部７によって、表示領域をスクロールさせる時に一時的に第１、もしくは第２の表示領域１３、１４を消去し、その各表示領域を第３の表示領域１５として拡張することにより、通常表示されない領域の情報もスクロール中においては表示できるようにする
【００１５】
　尚、本実施例では上スクロールにおいて第１の表示領域１３を消去し、下スクロールにおいて第２の表示領域１４を消去したが、この発明ではこれに限定されるものではない。
【００１６】
第１、第２の表示領域１３、１４の配置に応じて、対応するスクロール方向を決定してもよい。また、スクロール時におけるカーソルの位置は、第１、第２の表示領域１３、１４を表示、または非表示させるため、第３の表示領域１５の中間のラインに配置する。このようにすると、第１、第２の表示領域１３、１４に影響を受けないため、フォーカス位置を常に固定することが可能となる。
【００１７】
　この図２に示した無線通信端末１２の表示動作について、図３のフローチャートを参照して説明する。尚、この図３に示す動作は、端末の主制御部２が所定のプログラムに従って実行している。
【００１８】
　図３において、本
実施例では、E-MailやWEB等の情報を表示した状態において（Ｓ１）、ユーザにより操作入力部７を通じてスクロール操作が入力された場合（Ｓ２）、上スクロールである場合（Ｓ３）は第１の表示領域１３を消去するように主制御部２を通じて、画像処理部１０に含まれる表示部６のビデオ用メモリを書き換え
（Ｓ４）
【００１９】
　同様に下スクロールである場合も上記の処理を第２の表示領域１４に行う（Ｓ５）。
【００２０】
　
そして、消去された表示領域に表示領域外の情報を記憶部８より画像処理部１０のビデオ用メモリに主制御部２を通じて転送し、第３の表示領域１５を拡張
（Ｓ６）
【００２１】
　
その後、順次スクロール操作中は、記憶部８から画像処理部１０に第３の表示領域１５のデータを転送し、表示部６を更新する（Ｓ７）
ｂ）「【００４０】
　以上述べた様に実施例によれば、コンテンツ閲覧時において、コンテンツ表示領域を拡張するため、LCDのサイズを小型化することが可能であり、
画面スクロールの間、コンテンツ表示領域を拡張するため、閲覧時よりも一画面に多くのコンテンツ情報を表示することが可能である
ｃ）図２によれば、「第１の表示領域１３は、第３の表示領域１５の上方に位置」する。
　したがって、上記引用例１の摘記事項及び図面に記載された構成によれば、上記引用例１には、以下の発明（以下、「引用発明」という。）が開示されている。
（引用発明）
「無線部１、通信プロトコル制御及びユーザインタフェース等の制御を行う主制御部２、通話制御部３、スピーカ４、マイクロホン５、画像処理部１０の制御のもとで各種情報の表示を行う表示部６、機能キー等からなる操作入力部７、記憶部８、外部機器からデータ入力される外部入力部９、主制御部２の制御のもとで表示部６の表示制御とデータの符号化／復号化を行う機能を有する画像処理部１０、カメラ１１からなる無線通信端末１２であって、
　無線通信端末１２は、表示部６全体を大きく分けて3つの領域に分割して使用し、
　第１の表示領域１３は、無線通信端末１２の現在の状態表示に関わる領域であり、
　第２の表示領域１４は、無線通信端末１２の機能設定に関わる領域であり、
　第３の表示領域１５は、時刻表示、着信通知、ショートメッセージの表示、インターネットのWEB表示等、自由に使用可能な領域であり、
　ユーザが操作入力部７によって、表示領域をスクロールさせる時に一時的に第１、もしくは第２の表示領域１３、１４を消去し、その各表示領域を第３の表示領域１５として拡張することにより、通常表示されない領域の情報もスクロール中においては表示できるようにするものであり、
　実施例では、E-MailやWEB等の情報を表示した状態において（Ｓ１）、ユーザにより操作入力部７を通じてスクロール操作が入力された場合（Ｓ２）、上スクロールである場合（Ｓ３）は第３の表示領域１５の上方に位置する第１の表示領域１３を消去するように主制御部２を通じて、画像処理部１０に含まれる表示部６のビデオ用メモリを書き換え（Ｓ４）、
　そして、消去された表示領域に表示領域外の情報を記憶部８より画像処理部１０のビデオ用メモリに主制御部２を通じて転送し、第３の表示領域１５を拡張し（Ｓ６）、
　その後、順次スクロール操作中は、記憶部８から画像処理部１０に第３の表示領域１５のデータを転送し、表示部６を更新する（７）、
　画面スクロールの間、コンテンツ表示領域を拡張するため、閲覧時よりも一画面に多くのコンテンツ情報を表示することが可能である
　無線通信端末１２。」
（引用例２）
　本願の原出願の出願日前に頒布された刊行物である、国際公開第２００９／１４２８７１号（以下、「引用例２」という。）には、図面と共に以下の記載がある。
ｄ）「[0031] In embodiments, 
a presentation component 250, an input device 221, and a processor (e.g., hardware-based component) may be operably coupled with, and/or disposed on, the computing device 215
The computing device 215 is configured to present a UI display on the presentation component 250
the UI display rendered by the presentation component 250 is  configured to present a display area 223 with a content region (not shown), where content rendered by application 230 is surfaced within the content region
[0032] In embodiments, the computing device 215 is operably coupled with an input device 221 and a presentation component 250. As such, communication between the input device 221, the presentation component 250, and the operating system 220 may be supported by a distributed computing environment, such as a remote server (not shown), or any combination thereof. In embodiments of the invention that are practiced in distributed computing environments, the communication is linked through appropriate connections. These connections may be wired or wireless. Examples of particular wired embodiments, within the scope of the present invention, include USB connections and cable connections. Examples of particular wireless embodiments, within the scope of the present invention, include a near-range wireless network and radio-frequency technology. It should be understood and appreciated that the designation of near-range wireless network is not meant to be limiting, and should be interpreted broadly to include at least the following technologies: negotiated wireless peripheral (NWP) devices; short-range wireless air interference networks (e.g., wireless personal area network (wPAN), wireless local area network (wLAN), wireless wide area network (wWAN), BluetoothTM, and the like); wireless peer-to-peer communication (e.g., Ultra Wideband); and any protocol that supports wireless communication of data between devices. Additionally, persons familiar with the field of the invention will realize that a near-range wireless network may be practiced by various data-transfer methods (e.g., satellite transmission, telecommunications network, etc.). Therefore it is emphasized that embodiments of the  connections between the computing device 215 other remote components operably coupled thereto are not limited by the examples described, but embrace a wide variety of methods of communications.
[0033] 
The input device 221 is provided to accept user-initiated input(s) 295 affecting, among other things, panning of content within the content region
the input device 221 receives the user-initiated inputs 295 directed at the display area 223 rendered on the UI display
Illustrative devices include a touchscreen interface
the input device 221 may determine a coordinate location of where the user-initiated input 295 initiates contact therewith (e.g., location of actuation) and a coordinate location of where the user-initiated input 295 terminates contact therewith (e.g., location of release), with reference to items rendered at the GUI
Accordingly a drag operation may be distilled from a gesture applied at the input device 221
[0034] Although several differing configurations of the input device 221 have been described above, it should be understood and appreciated by those of ordinary skill in the art that various types of input devices that receive inputs from physical contact 290, or otherwise (e.g., touch systems that interact/respond upon bringing an object within proximity to the screen without actually making contact), may be employed as the input  device 221, and that embodiments of the present invention are not limited to those input devices 221 that are shown and described as being incorporated into the presentation component 250. For instance, the presentation component 250 may be a monitor operably coupled to a computer (e.g., computing device 215), while the input device 221 may be a stand-alone capacitive touchscreen that is in wireless communication (discussed above) with the computing device. However, for the sake of brevity and clarity, 
the input device 221 and the presentation component 250 will hereinafter be referred to jointly as a touchscreen interface
[0035] The operating system (OS) 220 refers generally to the software that manages the sharing of the resources of the processing component and provides programmers with an interface used to access those resources. In operation, 
the operating system 220
detects the user-initiated inputs 295 (e.g., via the input device 210)
determining which gesture the input 295 performed, determining that the application 230 supports scrolling functionality, and filtering a communication of the input 295 to the application 230 if the gesture is mapped to drag operation in a scrollable direction
[0036] In an exemplary embodiment, 
the operating system 220 runs on the processor and supports execution of one or more of applications, including the application  230
プレゼンテーション・コンポーネント２５０、入力デバイス２２１、およびプロセッサー（例えば、ハードウェア系コンポーネント）は、コンピューティング・デバイス２１５と動作可能に結合すること、および／またはコンピューティング・デバイス２１５上に配置することができる
コンピューティング・デバイス２１５は、プレゼンテーション・コンポーネント２５０上にＵＩディスプレイを提示するように構成されている
プレゼンテーション・コンポーネント２５０がレンダリングするＵＩディスプレイは、コンテンツ領域（図示せず）を有する表示エリア２２３を提示するように構成されており、アプリケーション２３０がレンダリングするコンテンツが、コンテンツ領域内の表面に現れる
[0032]  実施形態では、コンピューティング・デバイス２１５は入力デバイス２２１およびプレゼンテーション・コンポーネント２５０と動作可能に結合されている。したがって、入力デバイス２２１、プレゼンテーション・コンポーネント２５０、およびオペレーティング・システム２２０間の通信は、リモート・サーバー（図示せず）のような分散型コンピューティング環境、またはそのあらゆる組み合わせによってサポートすることができる。分散型コンピューティング環境において実用化される本発明の実施形態では、通信はしかるべき接続を通じてリンクされる。これらの接続は、有線またはワイヤレスのいずれでもよい。本発明の範囲に入る特定の有線実施形態の例には、ＵＳＢ接続およびケーブル接続が含まれる。本発明の範囲に入る特定のワイヤレス実施形態の例には、近距離ワイヤレス・ネットワークおよび無線周波数技術が含まれる。尚、「近距離ワイヤレス・ネットワーク」という呼称は、限定を意味するのではなく、少なくとも以下の技術を含むように広く解釈すべきことは言うまでもなく、認められてしかるべきである。相対ワイヤレス周辺（ＮＷＰ：negotiated wireless peripheral）デバイス、短距離(short-range)ワイヤレス・エアー・インターフェース・ネットワーク（例えば、ワイヤレス・パーソナル・エリア・ネットワーク（ｗＰＡＮ）、ワイヤレス・ローカル・エリア・ネットワーク（ｗＬＡＮ）、ワイヤレス・ワイド・エリア・ネットワーク（ｗＷＡＮ）、Bluetooth（商標）等）、ワイヤレス・ピア・ツー・ピア接続（例えば、超広帯域）、およびデバイス間におけるデータのワイヤレス通信をサポートするあらゆるプロトコル。加えて、本発明の分野に精通している人々は、近距離ワイヤレス・ネットワークを種々のデータ転送（例えば、衛星送信、電気通信ネットワーク等）によって実用化できることが分かるであろう。したがって、コンピューティング・デバイス２１５とこれに動作可能に結合されている他のリモート・コンポーネントとの間における接続の実施形態は、先に記載した例に限定されるのではなく、多種多様の通信方法を含むことを強調しておく。
[0033]  
入力デバイス２２１は、とりわけ、コンテンツ領域内におけるコンテンツのパンニングに影響を及ぼすユーザー開始入力（１つまたは複数）２９５を受け入れるために設けられている
入力デバイス２２１は、ＵＩディスプレイ上にレンダリングされた表示エリア２２３に向けられたユーザー開始入力２９５を受け取る
例示的なデバイスには、タッチスクリーン・インターフェース
が含まれる
入力デバイス２２１は、ユーザー開始入力２９５がそれとの接触を開始したところ（例えば、始動の位置）の座標位置、およびユーザー開始入力２９５がそれとの接触を終了したところの座標位置を、ＧＵＩにレンダリングされた項目を参照して、判定することができる
したがって、入力デバイス２２１において印加されたジェスチャから、ドラッグ動作を取り出す(distill)ことができる
ング・システムに受け渡す前に、生の入力データから入力情報を引き出す。
[0034]  以上、入力デバイス２２１の様々な異なる構成について説明したが、物理的な接触２９０またはそれ以外（例えば、実際に接触せずに物体を画面に近接させたときに相互作用／応答する「タッチ」システム）から入力を受け取る種々の形式の入力デバイスを入力デバイス２２１として採用することができること、そして本発明の実施形態は、プレゼンテーション・コンポーネント２５０に組み込まれるように示し説明した入力デバイス２２１には限定されないことは言うまでもないことであり、当業者に認められてしかるべきである。例えば、プレゼンテーション・コンポーネント２５０は、コンピューター（例えば、コンピューティング・デバイス２１５）に動作可能に結合されたモニターであってもよく、一方入力デバイス２２１は、コンピューティング・デバイスとワイヤレスで通信する（先に論じた）単体の容量型タッチスクリーンであってもよい。しかしながら、簡潔さおよび明確さのために、
入力デバイス２２１およびプレゼンテーション・コンポーネント２５０を、以後、合わせてタッチスクリーン・インターフェースと呼ぶ
[0035]  オペレーティング・システム（ＯＳ）２２０は、一般に、処理コンポーネントのリソースの共有を管理し、これらのリソースにアクセスするために用いられるインターフェースをプログラマに提供するソフトウェアを指す。動作において、
オペレーティング・システム２２０は、
ユーザー開始入力２９５を（例えば、入力デバイス２１０
を通じて）検出し、
何のジェスチャを入力２９５が行ったのか判定し、アプリケーション２３０がスクロール機能をサポートすると判断し、ジェスチャがスクロール可能な方向のドラッグ動作にマッピングされている場合、入力２９５のアプリケーション２３０への伝達を選別する
[0036]  一実施形態例では、
オペレーティング・システム２２０はプロセッサー上で実行し、アプリケーション２３０を含む１つ又は複数のアプリケーションの実行をサポートする
ｅ）「[0039] In an exemplary embodiment, 
the operating system 220 includes an input component 205, a gesture engine 280 that includes a correction component 225 and a selection component 226, a scrollbar finder 210, and an application-interface component 235
[0040] 
In addition, the operating system 220 may include a data store 275
The data store 275 may be configured to store information including messages mapped to particular gestures, system metrics (such as a trigger boundaries) for switching from panning content to selection of content, and any other data to relevant panning
オペレーティング・システム２２０は入力コンポーネント２０５、補正コンポーネント２２５および選択コンポーネント２２６を含むジェスチャ・エンジン２８０、スクロールバー・ファインダ２１０、ならびにアプリケーション−インターフェース・コンポーネント２３５を含む
[0040]  
加えて、オペレーティング・システム２２０はデータ・ストア２７５も含むことができる
データ・ストア２７５は、特定のジェスチャにマッピングされたメッセージを含む情報、コンテンツのパンニングからコンテンツの選択に切り換えるためのシステム・メトリック（誘起の境界のような）、およびパンニングに関するあらゆるその他のデータを格納するように構成することができる
ｆ）「[0045] Although a method for determining whether the application 230 exhibits scrolling functionality at the UI display is discussed above, other methods for making this determination are encompassed by the scope of the scroll bar finder component 210 and may be applied to various different scrollbar implementations.
[0046] 
The gesture engine 280 is configured to determine tells which gesture is being performed by the user at the computing device 215
[0047] In embodiments, the gesture engine 280 disambiguates between a pan and a standard action. For instance, 
if the gesture is considered a drag operation, the gesture engine 280 looks at the UI display of the application 230 to determine if the user is dragging within a scrollable content region
techniques and approaches  to identify whether the actuation location, or touch point that contacts the touchscreen interface, occurs within a scrolling content region are employed
If the actuation location is within the content region and a drag operation is recognized
crolling messages are sent to the application 230
where the application 230 supports vertical scrolling, and the actuation location is detected within the content region, a vertical drag operation may invoke pan messages that trigger panning up or down
In another embodiment, where the where the application 230 supports horizontal scrolling, and the actuation location is detected within the content region, a horizontal drag operation may invoke pan messages that trigger panning side -to-side
[0048] Accordingly, 
the content in the content region scrolls with the user's finger as s/he performs a drag
users can pan through a list of items in a file explorer menu by dragging a finger over a surface file list
[0049] If the user is dragging over a non-scrollable content region (e.g., title bar, border, scrollbar tool, and the like) rendered by the application 230, mouse messages are sent to the application, utilizing the application interface component 250, such that dragging with the finger acts the same as clicking and dragging with the mouse. This allows users to drag or pan the display area 223 around screen (e.g., UI display), drag a slider of the scrollable content region, rearrange desktop icons, etc.
[0050] Generally, 
the gesture engine 280 filters the input by providing appropriate messages 235 to the application 230
The scrollable content, when dragged in scrollable direction, will move with a contact point on the touchscreen interface
When the user drags their finger on a scrollable content region in a direction substantially parallel to the scrollbar control, the content pans in the appropriate direction
[0046]  
ジェスチャ・エンジン２８０は、どのジェスチャがユーザーによってコンピューティング・デバイス２１５において行われているのか判断するように構成されている
[0047]  実施形態では、ジェスチャ・エンジン２８０は、パンニングと標準的な行為との間で区別を行う。例えば、
ジェスチャがドラッグ動作と見なされる場合、ジェスチャ・エンジン２８０はアプリケーション２３０のＵＩディスプレイを見て、ユーザーがスクロール可能なコンテンツ領域以内でドラッグしているか否か判断する
始動位置、またはタッチスクリーン・インターフェースに接触したタッチ・ポイントがコンテンツ・スクロール領域内で示されたか否か識別するための技法および手法を採用する
始動位置がコンテンツ領域内にあり、ドラッグ動作が確認された場合、
スクロール・メッセージをアプリケーション２３０に送る
アプリケーション２３０が垂直スクロールをサポートし、始動位置がコンテンツ領域内で検出される特定的な実施形態では、垂直方向のドラッグ動作が、上方または下方へのパンニングを誘起するパンニング・メッセージを呼び出す
アプリケーション２３０が水平スクロールをサポートし、始動位置がコンテンツ領域以内で検出される別の実施形態では、水平方向のドラッグ動作は、横方向のパンニングを誘起するパンニング・メッセージを呼び出す
[0048]  したがって、
コンテンツ領域内にあるコンテンツは、ユーザーがドラッグを実行すると、その指と共にスクロールする
ユーザーは、表面のファイル・リスト全域にわたって指をドラッグすることによって、ファイル・エクスプローラ・メニュー(file explorer menu)における項目のリスト全体をパンニングすることができ
[0049]  ユーザーが、アプリケーション２３０によってレンダリングされた非スクロール可能コンテンツ領域（例えば、タイトル・バー、境界線、スクロールバー・ツール等）上でドラッグしている場合、指によるドラッグ動作が、マウスによるクリックおよびドラッグ動作と同様に機能するように、アプリケーション・インターフェース・コンポーネント２５０を利用して、マウス・メッセージをアプリケーションに送る。これによって、ユーザーは画面（例えば、ＵＩディスプレイ）周囲の表示エリア２２３をドラッグまたはパンニングすること、スクロール可能なコンテンツ領域のスライダをドラッグすること、デスクトップ・アイコンを並び換えること等を行うことが可能になる。
[0050]  一般に、
ジェスチャ・エンジン２８０は、しかるべきメッセージ２３５をアプリケーション２３０に供給することによって、入力を選別する
スクロール可能なコンテンツがスクロール可能な方向にドラッグされると、タッチスクリーン・インターフェース上の接触ポイントと共に移動する
ユーザーが彼らの指をスクロール可能なコンテンツ領域においてスクロールバー制御部に対して実質的に平行な方向にドラッグすると、コンテンツはしかるべき方向にパンニングする
　したがって、上記引用例２の摘記事項及び図面に記載された構成によれば、上記引用例２には、以下の技術（以下、「引用例２記載の技術」という。）が開示されている。
（引用例２記載の技術）
「入力デバイス２２１は、ＵＩディスプレイ上にレンダリングされた表示エリア２２３に向けられたユーザー開始入力２９５を受け取る、タッチスクリーン・インターフェースであり、
オペレーティング・システム２２０は、ユーザー開始入力２９５を、入力デバイス２２１を通じて検出し、
オペレーティング・システム２２０はジェスチャ・エンジン２８０を含み、
ジェスチャ・エンジン２８０は、どのジェスチャがユーザーによってコンピューティング・デバイス２１５において行われているのか判断するように構成されており、
ジェスチャがドラッグ動作と見なされる場合、ジェスチャ・エンジン２８０はアプリケーション２３０のＵＩディスプレイを見て、ユーザーがスクロール可能なコンテンツ領域以内でドラッグしているか否か判断し、
始動位置がコンテンツ領域内にあり、ドラッグ動作が確認された場合、スクロール・メッセージをアプリケーション２３０に送り、
アプリケーション２３０が垂直スクロールをサポートし、始動位置がコンテンツ領域内で検出される特定的な実施形態では、垂直方向のドラッグ動作が、上方または下方へのパンニングを誘起するパンニング・メッセージを呼び出し、
アプリケーション２３０が水平スクロールをサポートし、始動位置がコンテンツ領域以内で検出される別の実施形態では、水平方向のドラッグ動作は、横方向のパンニングを誘起するパンニング・メッセージを呼び出し、
したがって、コンテンツ領域内にあるコンテンツは、ユーザーがドラッグを実行すると、その指と共にスクロールする技術。」
（２）対比、一致点、相違点
　本願補正発明と引用発明とを対比する。
あ）引用発明の「機能キー等からなる操作入力部７」は、「ユーザにより操作入力部７を通じてスクロール操作が入力」されるものであるから、本願補正発明の「画面内のドラッグ操作を受け付けて表示画像がスクロールされる表示領域に対する操作を検出する操作検出部」と「操作を検出する操作検出部」である点で共通するといえる。
い）引用発明は、「ユーザにより操作入力部７を通じてスクロール操作が入力された場合（Ｓ２）、上スクロールである場合（Ｓ３）は第３の表示領域１５の上方に位置する第１の表示領域１３を消去するように主制御部２を通じて、画像処理部１０に含まれる表示部６のビデオ用メモリを書き換え（Ｓ４）、そして、消去された表示領域に表示領域外の情報を記憶部８より画像処理部１０のビデオ用メモリに主制御部２を通じて転送し、第３の表示領域１５を拡張」することは、本願補正発明の「前記操作検出部により前記表示領域に対するドラッグ操作が検出された場合に、ドラッグ操作が行われた場合の第１制御として、前記表示領域を拡大して表示」することと「前記操作検出部により操作が検出された場合に、操作が行われた場合の第１制御として、表示領域を拡大して表示」する点で共通するといえる。
う）本願補正発明の「前記拡大された表示領域に対してドラッグ操作が行われたこと」とは、「第１制御として、前記表示領域を拡大して表示」した表示領域に対してドラッグ操作が行われたことを意味しているから、「前記表示領域を拡大して表示した後に、表示領域に対してドラッグ操作が行われたこと」ともいい得るものである。
　したがって、引用発明の「第３の表示領域１５を拡張し（Ｓ６）、その後、順次スクロール操作中は、記憶部８から画像処理部１０に第３の表示領域１５のデータを転送し、表示部６を更新する（７）」ことは、「第１の表示領域１３は、第３の表示領域１５の上方に位置」することおよびスクロール操作が「上スクロールである」であることを考慮すれば、本願補正発明の「前記拡大された表示領域に対してドラッグ操作が行われたことによって、ドラッグ操作が行われた場合の第２制御として、前記表示領域が拡大された方向と平行な方向に前記表示領域内の表示画像を前記行われたドラッグ操作に基づいてスクロールする」ことと「表示領域を拡大して表示した後に、操作が行われたことによって、操作が行われた場合の第２制御として、前記表示領域が拡大された方向と平行な方向に前記表示領域内の表示画像を前記行われた操作に基づいてスクロールする」点で共通するといえる。
え）引用発明は「主制御部２の制御のもとで表示部６の表示制御」を行うものであるから、上記い）の「第３の表示領域１５を拡張」や上記う）の「表示部６を更新する」ことが「制御部２」の制御のもとで行われていることは明らかであり、上記い）および上記う）の対比より、引用発明の「制御部２」は、本願補正発明の「前記操作検出部により前記表示領域に対するドラッグ操作が検出された場合に、ドラッグ操作が行われた場合の第１制御として、前記表示領域を拡大して表示し、前記拡大された表示領域に対してドラッグ操作が行われたことによって、ドラッグ操作が行われた場合の第２制御として、前記表示領域が拡大された方向と平行な方向に前記表示領域内の表示画像を前記行われたドラッグ操作に基づいてスクロールする制御部」と「前記操作検出部により操作が検出された場合に、操作が行われた場合の第１制御として、表示領域を拡大して表示し、表示領域を拡大して表示した後に、操作が行われたことによって、操作が行われた場合の第２制御として、前記表示領域が拡大された方向と平行な方向に前記表示領域内の表示画像を前記行われた操作に基づいてスクロールする制御部」である点で共通するといえる。
お）引用発明の「無線通信端末１２」は、「主制御部２の制御のもとで表示部６の表示制御とデータの符号化／復号化を行う機能を有する画像処理部１０」を有し「第３の表示領域１５を拡張」するものであるから、「表示領域制御装置」ともいい得るものである。
　したがって、本願補正発明と引用発明との間には、次の一致点、相違点があるといえる。
〈一致点〉
「操作を検出する操作検出部と、
　前記操作検出部により操作が検出された場合に、操作が行われた場合の第１制御として、表示領域を拡大して表示し、
　表示領域を拡大して表示した後に、操作が行われたことによって、操作が行われた場合の第２制御として、前記表示領域が拡大された方向と平行な方向に前記表示領域内の表示画像を前記行われた操作に基づいてスクロールする制御部と、
　を有する表示領域制御装置。」
〈相違点〉
　「操作」が、本願補正発明は、「画面内のドラッグ操作を受け付けて表示画像がスクロールされる表示領域に対する」「ドラッグ操作」であり、「前記操作検出部により操作が検出された場合に、操作が行われた場合の第１制御」は「前記操作検出部により前記表示領域に対するドラッグ操作が検出された場合に、ドラッグ操作が行われた場合」の制御であり、「表示領域を拡大して表示した後に、操作が行われたことによって、操作が行われた場合の第２制御」は、「前記拡大された表示領域に対してドラッグ操作が行われたことによって、ドラッグ操作が行われた場合」の制御であり、「前記行われた操作に基づいてスクロールする」ことは「前記行われたドラッグ操作に基づいてスクロールする」ことであるのに対し、引用発明は、「機能キー等からなる操作入力部」に対する操作であり、「前記操作検出部により操作が検出された場合に、操作が行われた場合の第１制御」は「操作入力部７を通じてスクロール操作が入力された場合」「上スクロールである場合」のものであり、「表示領域を拡大して表示した後に、操作が行われたことによって、操作が行われた場合の第２制御」は、「第３の表示領域１５を拡張し、その後、順次スクロール操作」が行われた場合のものであり、「前記行われた操作に基づいてスクロールする」ことは「順次スクロール操作中は」「表示部を更新する」ことである点。
（３）判断
〈相違点〉について
　引用例２記載の技術における「ユーザーがスクロール可能なコンテンツ領域」は、「ユーザーがスクロール可能なコンテンツ領域以内でドラッグ」した場合「コンテンツ領域内にあるコンテンツは、ユーザーがドラッグを実行すると、その指と共にスクロールする」ものであるから、本願補正発明の「画面内のドラッグ操作を受け付けて表示画像がスクロールされる表示領域」に相当し、引用例２記載の技術の「ドラッグ」は、本願補正発明の「画面内のドラッグ操作を受け付けて表示画像がスクロールされる表示領域に対する」「ドラッグ操作」に相当するといえる。
　そして、携帯電話等の無線通信端末において、ユーザからの入力を受け付ける操作入力部をタッチスクリーンにより形成することは、スマートフォン等に見られるように、例示するまでもなく本願の原出願の出願日前普通に行われていたことを考慮すれば、引用発明に引用例２記載の技術を適用し、引用発明の操作入力部をタッチスクリーンとし、操作を画面内のドラッグ操作を受け付けて表示画像がスクロールされる表示領域に対するドラッグ操作とすることは、当業者が容易に想到し得たことである。
　そして、引用発明に引用例２記載の技術を適用したものは、「操作」が、「画面内のドラッグ操作を受け付けて表示画像がスクロールされる表示領域に対する」「ドラッグ操作」であり、「前記操作検出部により操作が検出された場合に、操作が行われた場合の第１制御」は「前記操作検出部により前記表示領域に対するドラッグ操作が検出された場合に、ドラッグ操作が行われた場合」の制御であり、「表示領域を拡大して表示した後に、操作が行われたことによって、操作が行われた場合の第２制御」は、「前記拡大された表示領域に対してドラッグ操作が行われたことによって、ドラッグ操作が行われた場合」の制御であり、「前記行われた操作に基づいてスクロールする」ことは「前記行われたドラッグ操作に基づいてスクロールする」ことであるものとなる。
　また、効果についてみても、引用発明に対する引用例２記載の技術の採用に伴って予測し得ない格別顕著なものが本願補正発明にあるとも認められない。
（４）まとめ
　以上のとおり、本願補正発明は、引用発明及び引用例２記載の技術に基づいて、当業者が容易に発明をすることができたものであるから、特許法第２９条第２項の規定により特許出願の際独立して特許を受けることができないものである。
２−３．むすび
　以上のとおり本願補正発明は、特許法第２９条第２項の規定により、特許出願の際独立して特許を受けることができないものであるから、本件補正は、特許法第１７条の２第６項において準用する同法第１２６条第７項の規定に違反するので、同法第１５９条第１項の規定において読み替えて準用する同法第５３条第１項の規定により却下すべきものである。
第３．本願発明について
１．本願発明
　本件補正は上記のとおり却下されたので、本願の請求項２に係る発明（以下、「本願発明」という。）は、平成２８年９月１２日付けの手続補正書の請求項２に記載されたとおりのものであり、上記「第２．」の「１．」の〈補正前の請求項２〉の欄に転記したとおりのものである。
２．引用例の記載、引用発明等
　原査定の拒絶の理由に引用された引用例の記載事項、引用発明は、上記「第２．」の「２−２．」の「（１）」の「（引用例）」、「（引用発明）」の欄に記載したとおりである。
（周知例１）
　原査定の拒絶の理由に引用された、本願の原出願の出願日前に頒布された刊行物である、特開２００９−２０５６７５号公報（以下、「周知例１」という。）には、図面と共に以下の記載がある。
ｇ）「【００１７】
　しかしながら当例では、図３において、
メイン表示領域はタッチパネル表示装置上に表示されるものであり、メイン表示領域は、ウィジェット表示領域２０
と、
情報エリア３０
とに分割される
【００１８】
　アイコン１０〜１５はそれぞれ以下の異なるセクションで説明する。しかしながらアイコン１０〜１５はそれぞれ異なる機能を表し、タッチすると、アイコンに関連する情報を表示したり、又はＥメール操作等、そのアイコンに関連するアプリケーションを起動したりする。ウィジェット表示領域２０において、特定のウィジェット２２は気象のグラフィックスのように示されており、ウィジェット表示領域２０における他のウィジェットと組み合わされて表示されている。
【００１９】
　
ウィジェット表示領域２０及び／又は情報エリア３０内でスクロールを縦に行うか横に行うか、ユーザが選択できる
スクロール操作は、スクリーンを「フリック」することにより行われるものであり、それはユーザがスクリーンにわたり指をドラッグすることにより実行されるものである
　本願の原出願の出願日前に頒布された刊行物である、特開２００３−３３０６１３号公報（以下、「周知例２」という。）には、図面と共に以下の記載がある。
ｈ）「【００４７】図１は、本実施の形態のＰＤＡ１を示す外観図である。同図（ａ）は、側面図を、同図（ｂ）は、正面図を、それぞれ示している。同図によれば、
ＰＤＡ１は、略直方体形状の筐体１０、及びスタイラスペン２０により構成される
【００４８】
筐体１０にはＬＣＤパネル１１
が備えられる
【００４９】
ＬＣＤパネル１１は、ＬＣＤ表示パネルと、このＬＣＤ表示パネル上に重ね合わされた透明タッチパネルとが一体となって構成されている
ｉ）「【００５６】図２は、
ＬＣＤパネル１１のメイン表示領域１１ａに表示されるメニュー画面３０
メニュー画面３０には、５つのメニュー表示領域３１ａ〜３１ｅ
が備えられている
これらのメニュー表示領域３１は、情報表示体であるメニュー表示体を表示するもの
【００５７】尚、ここで、「メニュー表示体」とは、アプリケーションを指定するアイコン、及びメニュー名より構成される。そして、以下では、各メニュー表示体のメニュー名により、当該メニュー表示体を特定することとする。
【００５８】また、メニュー表示領域３１ｃを、「選択候補表示領域３２」とする。この選択候補表示領域３２には、フォーカス３３（網掛け）が表示されるとともに、当該領域に表示されるメニュー表示体は、「選択候補」となる。
【００５９】図３は、メニュー画面３０の表示例を示す図である。同図（ａ）によれば、メニュー表示領域３１ａには「アプリケーションＢ」が、メニュー表示領域３１ｂには「アプリケーションＣ」が、メニュー表示領域３１ｃには「アプリケーションＤ」が、メニュー表示領域３１ｄには「アプリケーションＥ」が、そして、メニュー表示領域３１ｅには「アプリケーションＦ」が、それぞれ表示されている。
【００６０】また、選択候補表示領域３２、即ちメニュー表示領域３１ｃには、フォーカス３３が、「アプリケーションＤ」に重ねて表示されているとともに、当該「アプリケーションＤ」は、選択候補となっている。
【００６１】そして、
このメニュー画面３０において、スタイラスペン２０により、上方向へのドラッグを行うと、
当該メニュー画面３０に表示されているメニュー表示体は、上方向へスクロールする
３．対比、一致点、相違点
　本願発明と引用発明とを対比する。
あ）引用発明の「機能キー等からなる操作入力部７」は、「ユーザにより操作入力部７を通じてスクロール操作が入力」されるものであるから、本願発明の「画面内の表示領域に対する操作を検出する操作検出部」と「操作を検出する操作検出部」である点で共通するといえる。
い）引用発明は、「ユーザにより操作入力部７を通じてスクロール操作が入力された場合（Ｓ２）、上スクロールである場合（Ｓ３）は第３の表示領域１５の上方に位置する第１の表示領域１３を消去するように主制御部２を通じて、画像処理部１０に含まれる表示部６のビデオ用メモリを書き換え（Ｓ４）、そして、消去された表示領域に表示領域外の情報を記憶部８より画像処理部１０のビデオ用メモリに主制御部２を通じて転送し、第３の表示領域１５を拡張」することは、本願発明の「前記操作検出部により前記表示領域に対するドラッグ操作が検出された場合に、第１制御として、前記表示領域を拡大して表示」することと「前記操作検出部により操作が検出された場合に、第１制御として、表示領域を拡大して表示」する点で共通するといえる。
う）本願発明の「前記拡大された表示領域に対してドラッグ操作が行われたこと」とは、「第１制御として、前記表示領域を拡大して表示」した表示領域に対してドラッグ操作が行われたことを意味しているから、「前記表示領域を拡大して表示した後に、表示領域に対してドラッグ操作が行われたこと」ともいい得るものである。
　したがって、引用発明の「第３の表示領域１５を拡張し（Ｓ６）、その後、順次スクロール操作中は、記憶部８から画像処理部１０に第３の表示領域１５のデータを転送し、表示部６を更新する（７）」ことは、「第１の表示領域１３は、第３の表示領域１５の上方に位置」することおよびスクロール操作が「上スクロールである」であることを考慮すれば、本願発明の「前記拡大された表示領域に対してドラッグ操作が行われたことによって、第２制御として、前記表示領域が拡大された方向と平行な方向に前記表示領域内の表示画像をスクロールする」ことと「表示領域を拡大して表示した後に、操作が行われたことによって、第２制御として、前記表示領域が拡大された方向と平行な方向に前記表示領域内の表示画像をスクロールする」点で共通するといえる。
え）引用発明は「主制御部２の制御のもとで表示部６の表示制御」を行うものであるから、上記い）の「第３の表示領域１５を拡張」や上記う）の「表示部６を更新する」ことが「制御部２」の制御のもとで行われていることは明らかであり、上記い）および上記う）の対比より、引用発明の「制御部２」は、本願発明の「前記操作検出部により前記表示領域に対するドラッグ操作が検出された場合に、第１制御として、前記表示領域を拡大して表示し、前記拡大された表示領域に対してドラッグ操作が行われたことによって、第２制御として、前記表示領域が拡大された方向と平行な方向に前記表示領域内の表示画像をスクロールする制御部」と「前記操作検出部により操作が検出された場合に、第１制御として、表示領域を拡大して表示し、表示領域を拡大して表示した後に、操作が行われたことによって、第２制御として、前記表示領域が拡大された方向と平行な方向に前記表示領域内の表示画像をスクロールする制御部」である点で共通するといえる。
お）引用発明の「無線通信端末１２」は、「主制御部２の制御のもとで表示部６の表示制御とデータの符号化／復号化を行う機能を有する画像処理部１０」を有し「第３の表示領域１５を拡張」するものであるから、「表示領域制御装置」ともいい得るものである。
　したがって、本願発明と引用発明との間には、次の一致点、相違点があるといえる。
〈一致点〉
「操作を検出する操作検出部と、
　前記操作検出部により操作が検出された場合に、第１制御として、表示領域を拡大して表示し、
　表示領域を拡大して表示した後に、操作が行われたことによって、第２制御として、前記表示領域が拡大された方向と平行な方向に前記表示領域内の表示画像をスクロールする制御部と、
　を有する表示領域制御装置。」
〈相違点〉
　「操作」が、本願発明は、「画面内の表示領域に対する」「ドラッグ操作」であり、「前記操作検出部により操作が検出された場合に、」行われる「第１制御」は「前記操作検出部により前記表示領域に対するドラッグ操作が検出された場合に、」行われる制御であり、「表示領域を拡大して表示した後に、操作が行われたことによって、」行われる「第２制御」は、「前記拡大された表示領域に対してドラッグ操作が行われたことによって、」行われる制御であるのに対し、引用発明は、「機能キー等からなる操作入力部」に対する操作であり、「前記操作検出部により操作が検出された場合に、」に行われる「第１制御」は「操作入力部７を通じてスクロール操作が入力された場合」「上スクロールである場合」のものであり、「表示領域を拡大して表示した後に、操作が行われたことによって、」行われる「第２制御」は、「第３の表示領域１５を拡張し、その後、順次スクロール操作」が行われた場合のものである点。
４．判断
〈相違点〉について
　上記周知例１には、「タッチパネル表示装置上に表示されるメイン表示領域は、ウィジェット表示領域２０と、情報エリア３０とに分割され、ウィジェット表示領域２０及び／又は情報エリア３０内でスクロールを縦に行うか横に行うか、ユーザが選択でき、スクロール操作は、スクリーンを「フリック」することにより行われるものであり、それはユーザがスクリーンにわたり指をドラッグすることにより実行されるものである」ことが記載され、
　上記周知例２には、「ＰＤＡ１は、略直方体形状の筐体１０、及びスタイラスペン２０により構成され、
　筐体１０にはＬＣＤパネル１１が備えられ、
　ＬＣＤパネル１１は、ＬＣＤ表示パネルと、このＬＣＤ表示パネル上に重ね合わされた透明タッチパネルとが一体となって構成され、
　ＬＣＤパネル１１のメイン表示領域１１ａに表示されるメニュー画面３０には、５つのメニュー表示領域３１ａ〜３１ｅが備えられ、これらのメニュー表示領域３１は、情報表示体であるメニュー表示体を表示するものであり、
　このメニュー画面３０において、スタイラスペン２０により、上方向へのドラッグを行うと、当該メニュー画面３０に表示されているメニュー表示体は、上方向へスクロールする」ことが記載されている。
　これらの周知例の記載によれば、タッチパネル表示装置（タッチスクリーン）の表示領域に対するドラッグ操作により、前記表示をスクロールすることは、本願の原出願の出願日前周知の技術であったと認められる。
　そして、携帯電話等の無線通信端末において、ユーザからの入力を受け付ける操作入力部をタッチスクリーンにより形成することは、スマートフォン等に見られるように、例示するまでもなく本願の原出願の出願日前普通に行われていたことを考慮すれば、引用発明に周知例１，周知例２に記載された周知の技術を適用し、引用発明の操作入力部をタッチスクリーンとし、操作を画面内の表示領域に対するドラッグ操作とすることは、当業者が容易に想到し得たことである。
　そして、引用発明に周知例１，周知例２に記載された周知の技術を適用したものは、「操作」が、「画面内の表示領域に対する」「ドラッグ操作」であり、「前記操作検出部により操作が検出された場合に、」行われる「第１制御」は「前記操作検出部により前記表示領域に対するドラッグ操作が検出された場合に、」行われる制御であり、「表示領域を拡大して表示した後に、操作が行われたことによって、」行われる「第２制御」は、「前記拡大された表示領域に対してドラッグ操作が行われたことによって、」行われる制御であるものとなる。
　また、効果についてみても、引用発明に対する周知例１，周知例２に記載された周知の技術の採用に伴って予測し得ない格別顕著なものが本願発明にあるとも認められない。
５．むすび
　以上のとおり、本願の請求項２に係る発明は、引用発明及び周知例１，周知例２に記載された周知の技術に基づいて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。